(57)【特許請求の範囲】
【請求項１】
ベースシート上に化粧品を印刷手法を用いて薄く塗布し、ベースシートに透明な合成樹脂フィルムからなるカバーシートを接離可能に重ね合わせて薄く塗布された前記化粧品を覆った化粧品サンプルであって、
前記カバーシートには、ベースシートの化粧品配設部に対応する部分を非印刷領域の窓部とし、該窓部以外に印刷が施され、前記ベースシートには、化粧品配設部以外の領域に、前記カバーシートの印刷を施した領域に対応して説明文などの情報記載部が構成され、
前記カバーシートの印刷を施した領域における該印刷が、前記情報記載部を隠蔽していることを特徴とする化粧品サンプル。
【請求項２】
上記カバーシートのベースシート側対向面における窓部周縁に亘って突堤を設けて、窓部と化粧品とを非接触にしている請求項１に記載の化粧品サンプル。
【発明の詳細な説明】
【０００１】
【産業上の利用分野】
本発明は薄形化された化粧品サンプルに関するものである。
【０００２】
【従来の技術】
昨今、ファンデーションやチークカラーなどを対象とした化粧品サンプルにおいては、ペーパーサンプルと称されるものが提案されている。図５と図６はその化粧品サンプルａを示していて、台紙ｂに化粧品ｃをシルク印刷などの手法を用いて薄く配置し、紙などからなり抜き型により窓開けした基材ｄを前記化粧品ｃが配置された部分に被せ置いて貼り合わせ、そして、その上部に透明フィルムｅを剥離可能に重ね合わせて、基材ｄの窓部ｆから表出している化粧品ｃが透明フィルムｅを通して視認できるようにしており、その透明フィルムｅを捲って化粧品ｃが掻き取れるようにしているものである。さらに、前記透明フィルムｅ、基材ｄ、台紙ｂの積層物を全体的に所定の形状に打ち抜き、これを他のベース体上に貼り合わせるようにすることも行われていた。
【０００３】
【発明が解決しようとする課題】
上記した構造の化粧品サンプルは全体形状が薄形化されており取り扱いが容易になっている。しかしながら、その粧品サンプルを製造するにあたっては、上述したように加工工数が多くなっていて製造に時間を要するとともに、製造コストが高くなるという問題があり、さらに上記窓部の形状変更などに対して早急な対応が行えないという問題もあった。
【０００４】
そこで本発明は上記事情に鑑み、加工工数を削減できる化粧品サンプルを得ることを課題とし、化粧品サンプルを低コストにて製造し、また仕様変更などにも早急に対応できるものとすることを目的とする。
【０００５】
【課題を解決するための手段】
本発明は上記課題を考慮してなされたもので、ベースシート上に化粧品を印刷手法を用いて薄く塗布し、ベースシートに透明な合成樹脂フィルムからなるカバーシートを接離可能に重ね合わせて薄く塗布された前記化粧品を覆った化粧品サンプルであって、前記カバーシートには、ベースシートの化粧品配設部に対応する部分を非印刷領域の窓部とし、該窓部以外に印刷が施され、前記ベースシートには、化粧品配設部以外の領域に、前記カバーシートの印刷を施した領域に対応して説明文などの情報記載部が構成され、前記カバーシートの印刷を施した領域における該印刷が、前記情報記載部を隠蔽していることを特徴とする化粧品サンプルを提供して、上記課題を解消するものである。
【０００６】
【作用】
本発明においては、ベースシート上に配置された化粧品が、この化粧品を覆うカバーシートの窓部を通して視認できるようになり、カバーシートの印刷された領域に対応するベースシートの表面が該印刷により隠蔽されるようになる。
【０００７】
【実施例】
つぎに本発明を図１から図４に示す実施例に基づいて詳細に説明する。
図中１は化粧品サンプルで、該化粧品サンプル１は、表面の所要個所にファンデーションやチークカラーなどの化粧品２がシルク印刷やグラビア印刷などの印刷手法を用いて図示の如く文字パターンで薄く塗布されたベースシート３と、このベースシート３の表面に接離可能に重ね合わされてそのベースシート３の表面を覆うカバーシート４とからなるものである。
【０００８】
上記カバーシート４は透明な合成樹脂製フィルムからなるものであり、このカバーシート４では、上記ベースシート３上において化粧品２を配置した化粧品配設部５に対応した部分を非印刷領域の窓部６とし、この窓部６以外の領域に印刷７が施されているものである。図１に示された例にあってはカバーシート４の前記窓部６を長円状としその窓部６以外の領域に全面的に印刷７が施されており、前記窓部６にあってはカバーシート４を通して化粧品２が視認できる。そして、ベースシート３における化粧品配設部５以外の領域に構成されている説明文などの情報記載部８が、カバーシート４の印刷７を施した領域９に対応しており、カバーシート４をベースシート３に重ね合わせた状態ではその情報記載部８が前記領域９に隠蔽された状態となっている。また、カバーシート４は上述したようにベースシート３から分離することができるものであることから、そのカバーシート４を剥ぎ取ることによって、化粧品２を掻き取ることができるとともに、情報記載部８も視認できるようになる。
【０００９】
図２は他の実施例を示しているものであって、図２に示された実施例では、ベースシート３に複数の化粧品配設部５が設定されていて、それぞれに色彩や種類の異なる化粧品２が配置され、さらにカバーシート４に前記複数の化粧品配設部５に対応して複数の窓部６が設けられているものであり、カバーシート４をベースシート３に重ね合わせた際に前記窓部６それぞれから化粧品２が視認できるように設けられているものである。
【００１０】
図３と図４はさらに他の実施例を示すもので、カバーシート４のベースシート３側の対向面において、即ちカバーシート４の裏面において窓部６の周縁に亘って、上記化粧品２の塗布厚より厚さの大きいスペーサ１０を貼り付けてなる突堤１１が設けられており、この突堤１１がベースシート４に接することにより窓部６と化粧品配設部５との間に隙間１２を形成して、化粧品２が窓部６側に接触するのを防止している。また、この実施例にあっては、カバーシート４の周辺に対応してベースシート３上に粘着力の弱い接着剤１３が塗布されていて、この接着剤１３を介してカバーシート４が再剥離再接着可能に貼り合わされ、不用意な捲り上がりが生じないように設けられている。
【００１１】
【発明の効果】
以上説明したように、本発明によれば、ベースシート上に化粧品を印刷手法を用いて薄く塗布し、ベースシートに透明な合成樹脂フィルムからなるカバーシートを接離可能に重ね合わせて薄く塗布された前記化粧品を覆った化粧品サンプルであって、前記カバーシートには、ベースシートの化粧品配設部に対応する部分を非印刷領域の窓部とし、該窓部以外に印刷が施され、前記ベースシートには、化粧品配設部以外の領域に、前記カバーシートの印刷を施した領域に対応して説明文などの情報記載部が構成され、前記カバーシートの印刷を施した領域における該印刷が、前記情報記載部を隠蔽していることを特徴とするものである。このように化粧品サンプルは化粧品を配したベースシートとカバーシートとの重ね合わせてあることから全体形状が薄形のものとなり、そして、窓部を除くようにした印刷をカバーシートに施すことによりその窓部から化粧品を見ることのできる形態となる簡単な構造であることから、低コストにて化粧品サンプルを製造できるとともに、窓部形状の変更やカバーシートに施す色彩の変更などにも迅速に対応できるなど、実用性に優れた効果を奏するものである。
【図面の簡単な説明】
【図１】本発明に係る化粧品サンプルの一実施例を分解した状態で示す説明図である。
【図２】他の実施例を分解した状態で示す説明図である。
【図３】同じく他の実施例を分解した状態で示す説明図である。
【図４】図３に示す実施例の要部を断面で示す説明図である。
【図５】従来例を示す説明図である。
【図６】従来例を分解した状態で示す説明図である。
【符号の説明】
１…化粧品サンプル
２…化粧品
３…ベースシート
４…カバーシート
５…化粧品配設部
６…窓部
７…印刷
１１…突堤
１３…接着剤
【図１】
0003632230.tif 000002
【図２】
0003632230.tif 000003
【図３】
0003632230.tif 000004
【図４】
0003632230.tif 000005
【図５】
0003632230.tif 000006
【図６】
0003632230.tif 000007